(57)【要約】 【課題】  時刻表示の機能をできる限り維持すると共に、電池の消耗状態を使用者に通知することができる電子時計を提供する。【解決手段】  電圧検出部４が検出した電圧値に応じて、アナログ表示部１２の指針の駆動及び停止と、デジタル表示部１１の表示内容とを制御回路３で制御する。電池の消耗状態に応じて駆動する指針を切り換え、また、指針を停止させることにより表示できなくなった情報をデジタル表示部１１に表示することにより、時刻表示機能の延命を図ることができる。また、駆動する指針を切り換えたり、デジタル表示する内容を変更することで使用者に電池の消耗状態を通知することができる。【選択図】        図１
2005083979.tif 000002
【特許請求の範囲】
【請求項１】
指針を駆動して現在時刻を表示すると共に、所定の情報を表示するデジタル表示手段を備えた電子時計であって、
電池の消耗状態を示すデータを検出する検出手段と、
該検出手段が検出したデータに応じて、前記指針の駆動及び停止と前記デジタル表示手段の表示内容とを制御する制御手段と、
を有することを特徴とする電子時計。
【請求項２】
前記制御手段は、秒針の運針を停止し、時分針により時刻を表示する第１のパターンと、秒針及び時分針の運針を停止し、前記デジタル表示手段に時刻をデジタル表示する第２のパターンとに従って、前記指針の駆動及び停止と前記デジタル表示手段の表示内容とを制御することを特徴とする請求項１記載の電子時計。
【請求項３】
前記制御手段は、秒針の運針間隔を変更して時刻を表示する第１のパターンと、
秒針の運針を停止し、時分針により時刻を表示する第２のパターンと、
秒針及び時分針の運針を停止し、前記デジタル表示手段に時刻をデジタル表示する第３のパターンとに従って、前記指針の駆動及び停止と前記デジタル表示手段の表示内容とを制御することを特徴とする請求項１記載の電子時計。
【請求項４】
前記制御手段は、電池残量が残り少ない旨の表示を前記デジタル表示手段に表示する第１のパターンと、
秒針の運針間隔を変更して時刻を表示する第２のパターンと、
秒針の運針を停止し、時分針により時刻を表示する第３のパターンと、
秒針及び時分針の運針を停止し、前記デジタル表示手段に時刻をデジタル表示する第４のパターンとに従って、前記指針の駆動及び停止と前記デジタル表示手段の表示内容とを制御することを特徴とする請求項１記載の電子時計。
【請求項５】
前記電池は、太陽電池と、２次電池またはキャパシタとを有し、
前記制御手段は、前記２次電池またはキャパシタの電圧値に応じて、前記指針の駆動及び停止と前記デジタル表示手段の表示内容とを制御することを特徴とする請求項１記載の電子時計。
【請求項６】
標準時刻電波を受信する受信する受信手段を有し、
前記制御手段は、受信した前記標準時刻電波により時刻を修正することを特徴とする請求項１から５の何れか１項に記載の電子時計。
【請求項７】
指針を駆動して現在時刻を表示すると共に、所定の情報を表示するデジタル表示手段を備えた電子時計の時刻表示方法であって、
電池の消耗状態を示すデータを検出し、該検出したデータに応じて前記指針の駆動及び停止と前記デジタル表示手段の表示内容とを切り換えることを特徴とする電子時計の時刻表示方法。
【請求項８】
指針を駆動して現在時刻を表示すると共に、所定の情報を表示するデジタル表示手段を備えた電子時計の時刻表示プログラムであって、
電池の消耗状態を示すデータを検出し、該検出したデータに応じて前記指針の駆動及び停止と前記デジタル表示手段の表示内容とを切り換えることを特徴とする電子時計の時刻表示プログラム。
【発明の詳細な説明】
【技術分野】
【０００１】
本発明は、指針を駆動して現在時刻を表示すると共に、デジタル表示部に付加情報を表示する電子時計、その時刻表示方法、及び時刻表示プログラムに関し、特にこの電子時計の電池電圧が低下したときの時刻の表示方法に関する。
【背景技術】
【０００２】
従来、指針を備えこれにより時刻を表示するアナログ時計部と、デジタル表示部を備え、この表示部に時刻、日付、温度や湿度などを表示する電子時計が広く知られている。
【０００３】
このようなアナログ時計部とデジタル表示部とを備えた電子時計において、電池の電圧が一定値よりも低下した際に、電池電圧の低下を使用者に通知する種々の方法が提案されている。
【０００４】
例えば、デジタル表示部に電池切れを示す表示を点灯させる方法、指針駆動を通常時の何倍かの間隔で行う方法、電池電圧の低下が検出されると秒針の運針を停止する方法、などが知られている。
【０００５】
一例として特許文献１に開示された発明について説明する。特許文献１に開示された電子時計は、図８に示されるように文字盤５０の表示窓部５１の奥側に、液晶表示パネルを設置している。また、文字盤５０と液晶表示パネルの間で指針の回転中心を中心として回転する円盤状のシャッター板５２を設けている。液晶表示パネルに時刻・日付を表示するときはシャッター板５２の開口部５３と表示窓部５１とを重ねて液晶表示パネルを露出させ、他方、電池電圧が低下して表示を停止するときには、シャッター板の「ＢＡＴＴＥＲＹ  ＥＭＰＴＹ」という文字が印刷されている部分で液晶表示パネルを覆い、液晶表示パネルでの表示を停止している。
【０００６】
【特許文献１】特開平５−１７２９５７号公報
【発明の開示】
【発明が解決しようとする課題】
【０００７】
しかしながら、上述した電池電圧の低下を使用者に通知する方法や、特許文献１では、低下した電池電圧に応じて時刻をいかに表示させるか、すなわち時刻表示機能の延命をいかに図るかについては開示されていない。電池の残量が残り少なくなったときに使用者が第１に優先する電子時計の機能は、時刻表示機能であり、時刻を表示することができなくなった時点で電池の寿命が尽きたと判断するのが一般的である。低下した電池電圧に応じて時刻表示する機能を切り換えることで時刻表示機能は延命を図ることができる。
【０００８】
特許文献１では、液晶表示部の表示を停止して、アナログ時計部だけによる時刻表示を行っている。アナログ時計部による時刻表示は、モータに電力を供給し秒針、分針及び時針を運針させなければならない。つまり、モータで使用される電力は時計全体の消費電力のかなりの割合を占めるので、消費電力の削減といった観点からするとあまり効果的とは言えない。従って、アナログ時計部だけによる時刻表示に切り換えてから時計が停止するまでの時間が比較的短いため、使用者が電池の電圧が低下していることに気がつき、電池交換を行う前に時計が停止してしまうことも起こりうる。
【０００９】
また、上述した電池電圧の低下を使用者に通知する方法や、特許文献１の電子時計では、電池電圧が低下していることは使用者に通知することができるが、電圧低下の表示がなされてからどれくらいの時間で電池の寿命が尽きるのかが明確ではない。電池をできる限り無駄なく使いたい使用者にとっては、電池の寿命がいつごろ尽きるのかが分からないため、電圧低下の表示はあまり意味のない表示となってしまう。
【００１０】
本発明は上記事情に鑑みてなされたものであり、時刻表示の機能をできる限り維持すると共に、電池の消耗状態を使用者に通知することができる電子時計、その時刻表示方法、及び時刻表示プログラムを提供することを目的とする。
【課題を解決するための手段】
【００１１】
かかる目的を達成するために請求項１記載の電子時計は、指針を駆動して現在時刻を表示すると共に、所定の情報を表示するデジタル表示手段を備えた電子時計であって、電池の消耗状態を示すデータを検出する検出手段と、該検出手段が検出したデータに応じて、前記指針の駆動及び停止と前記デジタル表示手段の表示内容とを制御する制御手段と、を有することを特徴としている。
【００１２】
請求項１記載の発明は、検出手段が検出したデータに応じて、指針の駆動及び停止とデジタル表示手段の表示内容とを制御している。電池の消耗状態に応じて駆動する指針を切り換え、また、指針を停止させることで表示できなくなった情報をデジタル表示することにより、時刻表示機能の延命を図ることができる。また、駆動する指針を切り換えたり、デジタル表示する内容を変更することで使用者に電池の消耗状態を通知することができる。
【００１３】
請求項２記載の電子時計は、請求項１記載の電子時計において、前記制御手段は、秒針の運針を停止し、時分針により時刻を表示する第１のパターンと、秒針及び時分針の運針を停止し、前記デジタル表示手段に時刻をデジタル表示する第２のパターンとに従って、前記指針の駆動及び停止と前記デジタル表示手段の表示内容とを制御することを特徴としている。
【００１４】
請求項２記載の発明は、電池の消耗状態に応じて時刻表示のパターンを切り換えることができるので、使用者には、電子時計の電池がいつ頃切れるのかを予測することができる。従って、電池の電力をほとんど使い切ることができると共に、電池を使い切る前に電池交換することができる。また、電池が消耗すると、消費電力の大きいモータから順に駆動を停止し、時刻の表示パターンを変更している。従って、電子時計の消費する電力量を削減して、時刻表示の機能をできるだけ維持することができる。
【００１５】
請求項３記載の電子時計は、請求項１記載の電子時計において、前記制御手段は、秒針の運針間隔を変更して時刻を表示する第１のパターンと、秒針の運針を停止し、時分針により時刻を表示する第２のパターンと、秒針及び時分針の運針を停止し、前記デジタル表示手段に時刻をデジタル表示する第３のパターンとに従って、前記指針の駆動及び停止と前記デジタル表示手段の表示内容とを制御することを特徴としている。
【００１６】
請求項３記載の発明は、電池の消耗状態に応じて時刻表示のパターンを切り換えることができるので、使用者は電子時計の電池がいつ頃切れるのかを予測することが可能となる。従って、電池の電力をほとんど使い切ることができると共に、電池を使い切る前に電池交換することができる。また、電池が消耗すると、消費電力の大きいモータから順に駆動を停止し、時刻の表示パターンを変更している。従って、電子時計の消費する電力量を削減して、時刻表示の機能をできるだけ維持することができる。
【００１７】
請求項４記載の電子時計は、請求項１記載の電子時計において、前記制御手段は、電池残量が残り少ない旨の表示を前記デジタル表示手段に表示する第１のパターンと、秒針の運針間隔を変更して時刻を表示する第２のパターンと、秒針の運針を停止し、時分針により時刻を表示する第３のパターンと、秒針及び時分針の運針を停止し、前記デジタル表示手段に時刻をデジタル表示する第４のパターンとに従って、前記指針の駆動及び停止と前記デジタル表示手段の表示内容とを制御することを特徴としている。
【００１８】
請求項４記載の発明は、電池の消耗状態に応じて時刻表示のパターンを切り換えることができるので、使用者は電子時計の電池がいつ頃切れるのかを予測することが可能となる。従って、電池の電力をほとんど使い切ることができると共に、電池を使い切る前に電池交換することができる。また、電池が消耗すると、消費電力の大きいモータから順に駆動を停止し、時刻の表示パターンを変更している。従って、電子時計の消費する電力量を削減して、時刻表示の機能をできるだけ維持することができる。
【００１９】
請求項５記載の電子時計は、請求項１記載の電子時計において、前記電池は、太陽電池と、２次電池またはキャパシタとを有し、前記制御手段は、前記２次電池またはキャパシタの電圧値に応じて、前記指針の駆動及び停止と前記デジタル表示手段の表示内容とを制御することを特徴としている。
【００２０】
請求項５記載の発明は、電池が、太陽電池と、２次電池またはキャパシタとを有し、２次電池またはキャパシタの電圧値に応じて複数のパターンで時刻を表示する。太陽電池を使用する場合、１次電池を使用する場合に比べ電池電圧の変動が大きく、また使用する環境（周囲の明るさ）によって充分な電力を得られない場合が多い。そこで、太陽電池の発電作用で充電される２次電池またはキャパシタの電圧値を検出し、この電池電圧の増減により時刻表示する手段を選択的に切り換える。これにより、使用環境に応じて消費電力を調整することが可能となると同時に、時刻の表示パターンにより使用環境が太陽電池を備えた電子時計の使用に適しているか否かを判断することが可能となる。
【００２１】
請求項６記載の電子時計は、請求項１から５の何れか１項に記載の電子時計において、標準時刻電波を受信する受信する受信手段を有し、前記制御手段は、受信した前記標準時刻電波により時刻を修正することを特徴としている。
【００２２】
請求項６記載の発明は、標準時刻電波を受信して時刻を修正することにより、電子時計に正確な時間を表示させることができる。
【００２３】
請求項７記載の電子時計の時刻表示方法は、指針を駆動して現在時刻を表示すると共に、所定の情報を表示するデジタル表示手段を備えた電子時計の時刻表示方法であって、電池の消耗状態を示すデータを検出し、該検出したデータに応じて前記指針の駆動及び停止と前記デジタル表示手段の表示内容とを切り換えることを特徴としている。
【００２４】
請求項７記載の発明は、検出した電池の消耗状態に応じて、指針の駆動及び停止とデジタル表示手段の表示内容とを制御している。電池の消耗状態に応じて駆動する指針を切り換え、また、指針を停止させることで表示できなくなった情報をデジタル表示することにより、時刻表示機能の延命を図ることができる。また、駆動する指針を切り換えたり、デジタル表示する内容を変更することで使用者に電池の消耗状態を通知することができる。
【００２５】
請求項８記載の電子時計の時刻表示プログラムは、指針を駆動して現在時刻を表示すると共に、所定の情報を表示するデジタル表示手段を備えた電子時計の時刻表示プログラムであって、電池の消耗状態を示すデータを検出し、該検出したデータに応じて前記指針の駆動及び停止と前記デジタル表示手段の表示内容とを切り換えることを特徴としている。
【００２６】
請求項８記載の発明は、検出した電池の消耗状態に応じて、指針の駆動及び停止とデジタル表示手段の表示内容とを制御している。電池の消耗状態に応じて駆動する指針を切り換え、また、指針を停止させることで表示できなくなった情報をデジタル表示することにより、時刻表示機能の延命を図ることができる。また、駆動する指針を切り換えたり、デジタル表示する内容を変更することで使用者に電池の消耗状態を通知することができる。
【発明の効果】
【００２７】
本発明は、時刻表示の機能をできる限り維持すると共に、電池の消耗状態を使用者に通知することができる。
【発明を実施するための最良の形態】
【００２８】
次に、添付図面を参照しながら本発明の好適な実施例を説明する。
【実施例１】
【００２９】
まず、図１を参照しながら本実施例の構成を説明する。図１に示される電子時計１は、表示制御部２と、電源を供給する電池１０と、デジタル表示部１１と、アナログ表示部１２とを有している。
【００３０】
また、図１に示されるように表示制御部２は、電圧検出部４を含む制御回路３と、発振回路５と、分周回路６と、計時部７と、秒針用モータ部８と、時分針用モータ部９とを有している。
【００３１】
制御回路３は、図示しないハードウェア装置に記録された制御プログラムを読み出し、この制御プログラムに従って図１に示す各部を制御する。具体的な制御としては、計時部７から取得した現在時刻データに従って、秒針用モータ部８、時分針用モータ部９を制御し、アナログ時計部の秒針、分針、時針が現在時刻を表示するように制御する。また、デジタル表示部１１に現在時刻、カレンダー情報、温度や湿度の情報を表示する制御を行う。現在時刻を表示する設定となった場合には、計時部７から取得した現在時刻データに従ってデジタル表示部１１に現在時刻を表示する。
【００３２】
電圧検出部４は、電池１０の電圧を監視している。制御回路３は、所定時間毎に電圧検出部４から電池電圧を取得し、取得した電池電圧と予め設定されたしきい値とを比較する。そして、比較の結果に応じて現在時刻を表示する表示パターンを変更する。
【００３３】
発振回路５は、常時、一定周波数の信号を送出している回路部であり、分周回路６は、発振回路５からの信号を計数して計数値が１分に対応する値になる度に１分信号を計時部７に送出する。計時部７は、分周回路６からの１分信号を計数して、現在時刻データを保持すると共に、現在時刻データを制御回路３に供給する。
【００３４】
デジタル表示部１１は、液晶表示装置などからなる表示部であってもよいし、発光ダイオード素子を幾つかまとめて実装し数字が表示できるように構成されたセグメント表示器であってもよい。デジタル表示部１１に表示される情報として、図２（Ａ）に示される日付や曜日などのカレンダー情報、図２（Ｂ）に示される現在時刻、図２（Ｃ）に示される温度や湿度情報などが挙げられる。
【００３５】
アナログ表示部１２は、秒針用モータ部８によって駆動される秒針と、時分針用モータ部９によって駆動される時針と分針とからなる。秒針用モータ部８と時分針用モータ部９には、例えばステッピングモータを適用することができる。ステッピングモータは、入力する信号のパルス数によって、回転する角度を調整することができるため、制御回路３はこれらのモータ部８、９に出力するパルス数を調整することでアナログ表示部１２に現在時刻を表示する。
【００３６】
本実施例の電子時計１は、電圧検出部４が検出した電圧値に応じて、アナログ表示部１２の指針の駆動及び停止と、デジタル表示部１１の表示内容とを制御している。電池の残量が残り少なくなったときに使用者が第１に優先する電子時計の機能は、時刻表示機能であり、時刻を表示することができなくなった時点で電池の寿命が尽きたと判断するのが一般的である。そこで、本実施例では、電池の消耗状態に応じて駆動する指針を切り換え、また、指針を停止させることにより表示できなくなった情報をデジタル表示することにより、時刻表示機能の延命を図ることができる。また、駆動する指針を切り換えたり、デジタル表示する内容を変更することで使用者に電池の消耗状態を通知することができる。
【００３７】
また、本実施例は、電圧検出部４により検出した電池電圧に応じて現在時刻の表示パターンを変更することを特徴としている。従来から、電子時計の電池切れを使用者に通知する方法として、デジタル表示部に電池切れを示す表示を点灯させる方法、指針駆動を通常時の何倍かの間隔で行う方法、など種々の方法が取られていたが、これらの方法では電圧低下の表示がなされてからどれくらいの時間で電池の寿命が尽きるのかが明確ではなかった。このため、本実施例では、検出した電圧値に応じて時刻表示の方法を選択的に切り換え、複数のパターンで時刻を表示している。例えば、秒針の運針を停止し、時分針だけで時刻を表示するパターンや、アナログ表示部１２による時刻表示を停止し、デジタル表示部１１だけに時刻を表示させるタパターンなどを有している。電池の消耗度に応じて時刻表示のパターンを切り換えることができるので、使用者にとっては電子時計の電池がいつ頃切れるのかを予測することができる。従って、電池の電力をほとんど使い切ることができると共に、電池を使い切る前に電池交換することができる。また、電圧検出部４の検出する電圧値に応じて、時刻表示する手段を選択的に切り換えることにより、電子時計の消費する電力を削減して時刻表示の機能をできるだけ維持することができる。
【００３８】
図３に示されたフローチャートを参照しながら本実施例の動作手順を説明する。制御回路３は、計時部７から所定の間隔で現在時刻データを取得している。また、取得した現在時刻データによりアナログ表示部１２の表示が現在時刻を正確に表示するように秒針用モータ部８、時分針用モータ部９を制御する。具体的には秒針用モータ部８に単位時間間隔でパルス信号を入力し、秒針を運針する（ステップＳ１）。また、制御回路３は、時分針用モータ部９に対しても所定の間隔でパルス信号を送信し、分針及び時針を運針する（ステップＳ２）。
【００３９】
また、デジタル表示部１１の表示は、通常（電池電圧が一定値以上）の場合、日付や曜日などのカレンダー情報や、温度や湿度の情報が表示される。制御回路３は、計時部７から現在時刻データを受け取ると、図示しないメモリ部に保存している日付情報、曜日情報などから現在の日付、曜日情報を算出し、デジタル表示部１１に表示する。また、デジタル表示部１１の表示が温湿度表示に設定されていた場合には、図示しない温度計や湿度計により計った温度や湿度をデジタル表示部１１に表示する（ステップＳ３）。
【００４０】
制御回路３は、電圧検出部４によって検出される電池の電圧値Ｖを一定時間毎に取得し、取得した電圧値Ｖと予め設定されたしきい値Ｖ１及びＶ２とを比較する。検出した電池電圧値Ｖがしきい値Ｖ１以下で、Ｖ２よりも大きい場合には（ステップＳ４／ＹＥＳ）、最も消費電力の大きい秒針の運針を停止して（ステップＳ５）、時刻表示を行う。すなわち、分針と時針だけで時刻を表示する。
【００４１】
また、制御回路３は、電圧検出部４から取得した電池の電圧値ＶがＶ２以下であった場合には（ステップＳ６／ＹＥＳ）、時分針の運針を停止し（ステップＳ７）、デジタル表示部１１に時刻をデジタル表示する（ステップＳ８）。
【００４２】
このように本実施例は、電圧検出部４により電池の電圧を検出し、検出した電圧値に応じて秒針の運針を停止したり、アナログ表示部１２による表示を中止してデジタル表示部１１に時刻をデジタル表示する。電池電圧に応じて駆動する指針を切り換えたり、また、指針を停止させることにより表示できなくなった情報をデジタル表示することにより、時刻表示機能の延命を図ることが可能となる。また、電池の消耗度に応じて時刻表示のパターンを切り換えているので、使用者には、電子時計の電池がいつ頃切れるのかを予測することができる。従って、電池の電力をほとんど使い切ることができると共に、電池を使い切る前に電池交換することができる。また、電圧検出部４の検出する電圧値に応じて、時刻表示する手段を選択的に切り換えることにより、電子時計の消費する電力を削減して時刻表示の機能をできるだけ維持することができる。
【００４３】
なお、上述した手順では、時刻を表示するパターンを秒針の停止、デジタル表示部１１だけによる時刻表示の２パターンで行っているが、電圧検出部４の検出した電圧値に応じてもっと複数の表示パターンを設けて時刻表示を行うものであってもよい。例えば、秒針をいきなり停止するのではなく、２秒運針を行ってから停止させるものであってもよい。この手順について図４に示されたフローチャートを参照しながら説明する。制御回路３は、電圧検出部４によって検出される電池の電圧値Ｖを一定時間毎に取得し、取得した電圧値Ｖと予め設定されたしきい値Ｖ３，Ｖ４，及びＶ５と比較する。検出した電池電圧値Ｖがしきい値Ｖ３以下で、Ｖ４よりも大きい場合には（ステップＳ１３／ＹＥＳ）、最も消費電力の大きい秒針の運針を２秒運針にして、２秒間隔で秒針を動かす（ステップＳ１４）。また、検出した電池電圧値Ｖがしきい値Ｖ４以下で、Ｖ５よりも大きい場合には（ステップＳ１５／ＹＥＳ）、最も消費電力の大きい秒針の運針を停止して（ステップＳ１６）、時刻表示を行う。すなわち、分針と時針だけで時刻を表示する。
【００４４】
また、制御回路３は、電圧検出部４から取得した電池の電圧値ＶがＶ５以下であった場合には（ステップＳ１７／ＹＥＳ）、時分針の運針を停止し（ステップＳ１８）、デジタル表示部１１に時刻をデジタル表示する（ステップＳ１９）。
【００４５】
また、複数の表示パターンで時刻表示を行う例として、秒針や時分針の運針を停止させる前に、デジタル表示部１１に電池の残量が残り少ない旨のメッセージを表示するものであってもよい。この場合の手順を図５に示されたフローチャートを参照しながら説明する。制御回路３は、電圧検出部４によって検出される電池の電圧値Ｖを一定時間毎に取得し、取得した電圧値Ｖと予め設定されたしきい値Ｖ６，Ｖ７，Ｖ８，及びＶ９と比較する。検出した電池電圧値Ｖがしきい値Ｖ６以下で、Ｖ７よりも大きくなると（ステップＳ２３／ＹＥＳ）、デジタル表示部１１に電池の残量が残り少ない旨のメッセージを表示する（ステップＳ２４）。また、検出した電池電圧値Ｖがしきい値Ｖ７以下で、Ｖ８よりも大きい場合には（ステップＳ２５／ＹＥＳ）、最も消費電力の大きい秒針の運針を２秒運針にして、２秒間隔で秒針を動かす（ステップＳ２６）。また、検出した電池電圧値Ｖがしきい値Ｖ８以下で、Ｖ９よりも大きい場合には（ステップＳ２７／ＹＥＳ）、最も消費電力の大きい秒針の運針を停止して（ステップＳ２８）、時刻表示を行う。すなわち、分針と時針だけで時刻を表示する。
【００４６】
また、制御回路３は、電圧検出部４から取得した電池の電圧値ＶがＶ９以下であった場合には（ステップＳ２９／ＹＥＳ）、時分針の運針を停止し（ステップＳ３０）、デジタル表示部１１に時刻をデジタル表示する（ステップＳ３１）。
【００４７】
このように現在時刻を表示する表示パターンを複数設けたり、電池残量が残り少ない旨のメッセージをデジタル表示部１１に表示することで、電池の消耗度に応じて時刻表示のパターンを切り換えることができ、使用者に、電子時計の電池がいつ頃切れるのかを通知することができる。従って、電池の電力をほとんど使い切ることができると共に、電池を使い切る前に電池交換することができる。
【実施例２】
【００４８】
次に、本発明の第２実施例について説明する。本実施例は、図６に示されるように、電池が、太陽電池２０と２次電池２１とからなる。なお、２次電池の代わりにキャパシタを用いても良い。
【００４９】
本実施例も電圧検出部４により２次電池２１の電圧値を検出して、検出した電圧値に応じて複数の表示パターンで時刻表示を行う。太陽電池を使用する場合、１次電池を使用する場合に比べ電池電圧の変動が大きく、また使用する環境（周囲の明るさ）によって充分な電力を得られない場合が多い。そこで、太陽電池２０の発電作用で充電される２次電池２１の電圧値を検出し、この電池電圧の増減に応じて時刻表示のパターンを切り換える。これにより、使用環境に応じて消費電力を調整することが可能となると同時に、時刻の表示パターンにより使用環境が太陽電池２０を備えた電子時計の使用に適しているか否かを判断することが可能となる。
【実施例３】
【００５０】
次に、本発明の第３実施例について説明する。本実施例は図７に示されるように電波時計部３０を有している。電波時計部３０の電波受信部３１は、標準時刻電波を受信して、制御回路３に通知する。制御回路３は電波受信部３１により受信した標準時刻電波により計時部７の時刻を修正する。標準時刻電波を受信して時刻を修正することにより、電子時計に正確な時間を表示させることができる。
【００５１】
なお、上述した実施例は本発明の好適な実施例である。但し、これに限定されるものではなく、本発明の要旨を逸脱しない範囲内において種々変形実施可能である。例えば、電池電圧の低下を検出し、秒針、及び時分針を停止させる位置を正時（０時、１時、２時など）に行うようにしてもよい。
【図面の簡単な説明】
【００５２】
【図１】実施例１の構成を示す構成図である。
【図２】デジタル表示部１１に表示される表示の例を示す図である。
【図３】動作手順を示すフローチャートである。
【図４】動作手順を示すフローチャートである。
【図５】動作手順を示すフローチャートである。
【図６】実施例２の構成を示す構成図である。
【図７】実施例３の構成を示す構成図である。
【図８】従来の構成を示す構成図である。
【符号の説明】
【００５３】
１  電子時計                    ２  表示制御部
３  制御回路                    ４  電圧検出部
５  発振回路                    ６  分周回路
７  計時部                      ８  秒針用モータ部
９  時分針用モータ部            １０  電池
１１  デジタル表示部            １２  アナログ表示部
２０  太陽電池                  ２１  ２次電池
３０  電波時計部                ３１  電波受信部
【図１】
2005083979.tif 000003
【図２】
2005083979.tif 000004
【図３】
2005083979.tif 000005
【図４】
2005083979.tif 000006
【図５】
2005083979.tif 000007
【図６】
2005083979.tif 000008
【図７】
2005083979.tif 000009
【図８】
2005083979.tif 000010